(57)【要約】      （修正有）【課題】組立体が安定化し、絶縁本体のがたつきを防止できる電気コネクタを提供する。【解決手段】基部１１及び該基部から前向きに延出する舌片１２を有する絶縁本体１と、該絶縁本体の基部に向かい合わせに組み合わされた第一本体２及び第二本体３と、第一端子列並びに第二端子列を含み、各導電端子が固持部、該固持部の一端から延出する接触部４４、並びに前記絶縁本体を突出する半田部４５を含む複数の導電端子とを含む電気コネクタ１００において、前記絶縁本体の基部の一側壁は、前記第一本体に対向するように配置され、前記絶縁本体の他側壁は、前記第二本体に対向するように配置され、前記第一端子列は前記第一本体と前記絶縁本体の一側壁との間に保持され、前記第二端子列は前記第二本体と前記絶縁本体の他側壁との間に保持されることを特徴とする。【選択図】図３
0003171204.tif 000002
【実用新案登録請求の範囲】
【請求項１】
基部、及び前記基部から前向きに延出する舌片を有する絶縁本体と、
前記絶縁本体の基部に向かい合わせに組み合わされた第一本体及び第二本体と、
第一端子列と第二端子列とを含み、各導電端子は固持部と、前記固持部の一端から延出する接触部と、前記絶縁本体から突出する半田部と、を含む複数の導電端子と、
を含む電気コネクタにおいて、
前記絶縁本体の基部の一側壁は、前記第一本体に対向するように配置され、前記絶縁本体の他側壁は前記第二本体に対向するように配置され、
前記第一端子列は前記第一本体と前記絶縁本体の一側壁との間に保持され、前記第二端子列は前記第二本体と前記絶縁本体の他側壁との間に保持されることを特徴とする電気コネクタ。
【請求項２】
前記第一本体と前記第二本体とは前記絶縁本体に係合し、前記絶縁本体の基部の一側壁に前記第一本体を収容するための第一収容空間が形成され、前記絶縁本体の基部の他側壁に前記第二本体を収容するための第二収容空間が形成されることを特徴とする請求項１に記載の電気コネクタ。
【請求項３】
前記第一本体は、前記第二本体に向かって延出する第一延出アームと、前記第一アームに形成された第一係止部とが設けられ、
前記絶縁本体に、前記第一延出アームを収容するための第一収容孔が貫通して形成され、前記第一収容孔の内壁には前記第一係止部に係合する第一凸部が突出して形成されることを特徴とする請求項１または２に記載の電気コネクタ。
【請求項４】
前記第二本体は、前記第一本体に向かって延出する第二延出アームと、前記第二アームに形成された第二係止部とが設けられ、
前記絶縁本体に、前記第二延出アームを収容するための第二収容孔が貫通して形成され、前記第二収容孔の内壁には前記第二係止部に係合する第二凸部が突出して形成されることを特徴とする請求項１乃至３のいずれかの一項に記載の電気コネクタ。
【請求項５】
前記第一収容孔と前記第二収容孔とは前記絶縁本体の頂部に配置され、
前記絶縁本体の基部の後端に凹部が形成され、前記凹部の上下内壁に第一制限部と第二制限部とがそれぞれ突出され、
前記第一本体は、前記第二本体へ向かって延出する第一弾性アームが設けられ、前記第一弾性アームには前記第一制限部に係合するための第一係合部が設けられ、
前記第二本体は、前記第一本体へ向かって延出する第二弾性アームが設けられ、前記第二弾性アームには前記第二制限部に係合するための第二係合部が設けられることを特徴とする請求項４に記載の電気コネクタ。
【請求項６】
前記絶縁本体の基部の一側壁に、前記第一端子列の固持部を保持するための第一収容溝が窪んで形成され、前記第一本体に、前記第一収容溝に対応し収容されて前記第一端子列の固持部に当接する複数の第一凸リブが突出して設けられ、
前記絶縁本体の基部の他側壁に、前記第二端子列の固持部を保持するための第二収容溝が窪んで形成され、前記第二本体に、前記第二収容溝に対応し収容されて前記第二端子列の固持部に当接する複数の第二凸リブが突出して設けられることを特徴とする請求項１乃至５のいずれかの一項に記載の電気コネクタ。
【請求項７】
前記導電端子の固持部は、前記接触部に連接する水平部と、前記半田部に連接する垂直部と、前記水平部と垂直部とを連接する傾斜部とを含み、
前記第一本体の複数の第一凸リブは、前記第一端子列の水平部に当接する一列と、前記第一端子列の垂直部に当接する他列との二列を含み、
前記第二本体の複数の第二凸リブは、前記第二端子列の水平部に当接する一列と、前記第一端子列の垂直部に当接する他列との二列を含むことを特徴とする請求項６に記載の電気コネクタ。
【請求項８】
前記電気コネクタは、前記絶縁本体と第一本体と第二本体とを覆っている金属板からなるシェルを含み、
該シェルと前記絶縁本体の舌片とは、相手コネクタが挿入される挿入空間を形成し、前記導電端子の接触部は前記舌片に形成された端子溝に収容されて前記挿入空間に露出されることを特徴とする請求項１乃至７のいずれかの１項に記載の電気コネクタ。
【請求項９】
前記絶縁本体の基部の両側壁に、前記第一収容空間と前記第二収容空間との外周に位置する複数の突出部がそれぞれ配置され、
前記第一本体と前記第二本体とは、前記突出部に対応し、前記突出部を収容するための切り欠け部がそれぞれ形成され、
前記突出部が前記切り欠け部に係合することにより、前記第一本体と前記第二本体の、前後並びに上下方向での移動が制限されることを特徴とする請求項２に記載の電気コネクタ。
【考案の詳細な説明】
【技術分野】
【０００１】
本考案は、電気コネクタに関して、特に、高速データ通信を容易にする電気コネクタに関する。
【背景技術】
【０００２】
従来技術の電気コネクタは、特許文献１に示すように、先端側の絶縁本体と、絶縁本体の後側に配設された第一本体及び第二本体と、複数の導電端子と、絶縁本体、第一本体及び第二本体を覆う金属板からなるシェルと、を備える。絶縁本体は、基部と、基部から前向きに延出する舌片とを有し、基部の後端に保持孔が形成されている。前記第一本体のうち、絶縁本体の基部に対向する先端壁には、前記保持孔に対応する第一ポストが突出するように設けられ、第一ポストが保持孔に係合することにより、絶縁本体が前記第一本体に保持される。前記第二本体と第一本体とは対向するように配置され、第二本体の第二ポストが第一本体の固定孔に係合することにより、第二本体が前記第一本体に保持される。
【先行技術文献】
【特許文献】
【０００３】
【特許文献１】台湾実用新案公告第Ｍ３８１１８７号明細書
【考案の概要】
【考案が解決しようとする課題】
【０００４】
しかしながら、前記絶縁本体は、第一ポストと保持孔とに係合することによって、第一本体だけに保持されており、第二本体との間に係合されていないので、絶縁本体と第一本体と第二本体との組立体が安定せず、絶縁本体ががたつく虞があり、電気コネクタの安定性が低下している。
【０００５】
本考案は、組立体が安定し、絶縁本体のがたつきを防止できる電気コネクタを提供することを目的とする。
【課題を解決するための手段】
【０００６】
本考案は、基部及び前記基部から前向きに延出する舌片を有する絶縁本体と、前記絶縁本体の基部に向かい合せに組み合わされた第一本体及び第二本体と、第一端子列並びに第二端子列を含み、各導電端子が固持部、前記固持部の一端から延出する接触部、並びに前記絶縁本体から突出する半田部を含む複数の導電端子と、を含む電気コネクタにおいて、前記絶縁本体の基部の一側壁は、前記第一本体に対向するように配置され、前記絶縁本体の他側壁は、前記第二本体に対向するように配置され、前記第一端子列は前記第一本体と前記絶縁本体の一側壁との間に保持され、前記第二端子列は前記第二本体と前記絶縁本体の他側壁との間に保持されることを特徴とする。
【考案の効果】
【０００７】
従来技術に比べ、本考案の電気コネクタは以下の利点を有し、電気コネクタの絶縁本体の基部が前記第一本体と第二本体との間に挟まれて保持されることによって、絶縁本体と第一本体と第二本体との組立体が安定化し、絶縁本体のがたつきを防止でき、電気コネクタの安定性を向上させることができる。
【図面の簡単な説明】
【０００８】
【図１】本考案に係る電気コネクタの組立斜視図である。
【図２】図１に示す電気コネクタのほかの角度から見た組立斜視図である。
【図３】本考案に係る電気コネクタのシェルと絶縁本体とを外した部分の分解斜視図である。
【図４】図３に示す電気コネクタをほかの角度から見た分解斜視図である。
【図５】本考案に係る電気コネクタの部分の分解斜視図である。
【図６】本考案に係る電気コネクタの分解斜視図である。
【図７】図５に示す電気コネクタをほかの角度から見た分解斜視図である。
【図８】本考案に係る電気コネクタの導電端子の端子帯の斜視図である。
【考案を実施するための形態】
【０００９】
以下、図１〜図８を参照しながら、本考案の電気コネクタ１００の実施形態について説明する。電気コネクタ１００は、回路基板（図示せず）に実装されるＤｉｓｐｌａｙＰｏｒｔ用の直立式のソケットコネクタである。電気コネクタ１００は、絶縁本体１と、絶縁本体１の両側に設置された第一本体２及び第二本体３と、複数の導電端子４と、絶縁本体１、第一本体２及び第二本体３を覆っている金属板製のシェル５とを備え、前記絶縁本体１と第一本体２と第二本体３とは分かれている。
【００１０】
絶縁本体１は、前記第一本体２と第二本体３との間に挟まれる基部１１と、基部１１からそれぞれ前向きに延出する舌片１２及び補強板１３とを有する。前記補強板１３は、舌片１２の下方に位置して、舌片１２に直交するように配置され、補強板１３の舌片１２に対向する頂面に凹溝１３２が設けられ、該凹溝１３２は補強板１３の自由端まで延伸している。前記基部１１は第一外側壁１１１と第二外側壁１１２とを備え、第一外側壁１１１に、複数の第一収容溝１１３が窪んで形成され、第二外側壁１１２に、複数の第二収容溝１１４が窪んで形成され、前記舌片１２の両側壁に、前記第一収容溝１１３と第二収容溝１１４とにそれぞれ連通する端子溝１２０が設けられる。基部１１の頂部に、前記第一外側壁１１１と第二外側壁１１２とを貫通する第一収容孔１１５と第二収容孔１１６とが形成され、前記第一収容孔１１５が第二収容孔１１６の前方に位置し、第一収容孔１１５と第二収容孔１１６との間の隔離壁１１７が両者を隔離している。第一収容孔１１５の底壁に第一凸部１１５０が設けられ、第二収容孔１１６の底壁に第二凸部１１６０が設けられる。また、基部１１の後端の底壁に凹部１１８が形成され、該凹部１１８の下内壁に第一制限部１１８１が突出して形成され、凹部１１８の上内壁に第二制限部１１８２が突出して形成される。
【００１１】
第一外側壁１１１には、外部と第一収容溝１１３とを連通して、前記第一本体２を収容するための第一収容空間１１１１が形成され、第二外側壁１１２には外部と第二収容溝１１４とを連通して前記第二本体３を収容するための第二収容空間１１２１が形成されている。また第一外側壁１１１に、前記第一収容空間１１１１の周囲に位置する三つの第一突出部１１１３が設けられ、前記第二外側壁１１２に、前記第二収容空間１１２１の周囲に位置する三つの第二突出部１１２３が設けられる。その中の一つの第一突出部１１１３と一つの第二突出部１１２３とは、基部１１の底部に配置され、前記凹部１１８の両側にそれぞれ位置している。
【００１２】
前記第一本体２と第二本体３とは、絶縁材料からなり、前記絶縁本体１の基部１１にそれぞれ組み付けられ、第一本体２と第二本体３との間に保持構造は配置されない。第一本体２には、絶縁本体１へ向かって突出する第一延出アーム２１と、第一弾性アーム２２と、列をなす複数の第一凸リブ２３とが設けられる。第一延出アーム２１の自由端に第一係止部２１０が形成され、第一弾性アーム２２の自由端に第一係合部２２０が形成されている。第一凸リブ２３は、舌片１２側の側辺の上下方向に沿って第一本体２の先端に位置する一列と、下側の側辺の前後方向に沿って第一本体２の底部に位置する他列とを含む。第一本体２には、絶縁本体１の第一突出部１１１３に対応する箇所に、三つの切り欠け部２４が設けられる。
【００１３】
前記第二本体３は、絶縁本体１へ向かって突出する第二延出アーム３１と、第二弾性アーム３２と、列をなす複数の第二凸リブ３３とが設けられる。第二延出アーム３１の自由端に第二係止部３１０が形成され、第二弾性アーム３２の自由端に第二係合部３２０が形成されている。第二凸リブ３３は、舌片１２側の側辺の上下方向に沿って第二本体３の先端に位置する一列と、下側の側辺の前後方向に沿って第二本体３の底部に位置する他列とを含む。第二本体３には、絶縁本体１の第二突出部１１２３に対応する箇所に、三つの切り欠け部３４が設けられる。
【００１４】
前記複数の導電端子４は、１０本の端子からなる第一端子列４１及び第二端子列４２を、計２列有している。前記各導電端子４は、固持部４３と、固持部４３の一端から前向きに延出する接触部４４と、固持部４３の他端から下向きに延出して絶縁本体１から突出する半田部４５とをそれぞれ有している。前記接触部４４は半田部４５に直交するように配置される。前記固持部４３は、接触部４４に連接する水平部４３１と、半田部４５に連接する垂直部４３３と、水平部４３１と垂直部４３３とを連接する傾斜部４３２とを含む。本実施形態において、接触部４４と固持部４３とが同一な平面に位置し、半田部４５が異なる平面に位置しているが、勿論、導電端子４が同一な平面に位置してもいい。前記第一端子列４１と第二端子列４２とはそれぞれ金属板から製作され、この場合各導電端子４の接触部４４と固持部４３とが連接される箇所を連接帯４０によって連接し、接触部４４を金メッキする際に、連接帯４０を治具に保持させることにより、接触部４４の金メッキの操作が便利になる。接触部４４の金メッキが完成すると、連接帯４０は取り除かれる。
【００１５】
シェル５は、絶縁本体１、第一本体２及び第二本体３の外周を覆うと共に、シェル５の舌片１２を包囲することによって、相手コネクタ（図示せず）が挿入される挿入空間５０を形成する。前記導電端子４の第一接触部４１２と第二接触部４２２とは、相手コネクタの導電端子に接続するために、前記挿入空間５０に露出される。シェル５は、天板５１と、天板５１に対向する底板５２と、天板５１の一方の側縁から下方へ垂直に延出する第一側板５３と、第一側板５３に対向する第二側板５４と、前記第一側板５３と前記第二側板５４と天板５１とのそれぞれ後方の側縁を連接する傾斜板５５と、天板５１に連接して真空装置に吸着される水平板５６とを含む。
【００１６】
前記水平板５６は、天板５１と兼用される中間壁５６０と、中間壁５６０の一側辺に位置する第一壁部５６１と、中間壁５６０の他側辺に位置する第二壁部５６２とを含み、前記第一壁部５６１は第一側板５３を打ち抜き加工して形成され、第二壁部５６２は傾斜板５５を打ち抜き加工して形成される。前記天板５１と底板５２と第一側板５３と第二側板５４とには、前記挿入空間５０へ突出する弾性片５８がそれぞれ設けられ、且つ前記絶縁本体１の補強板１３がシェル５０の底板５２を支持して、これにより相手コネクタを挿入空間に挿入する際に、前記底板５２の弾性片５８を下向きに変形させて前記補強板１３の凹溝１３２に収容することができる。
【００１７】
電気コネクタ１００を組み立てる際に、先ず、前記第一端子列４１と第二端子列４２とが左右方向から絶縁本体１にそれぞれ装着され、第一端子列４１の固持部４３が絶縁本体１の第一収容溝１１３に保持され、第二端子列の固持部４３が絶縁本体１の第二収容溝１２３に保持され、第一端子列４１並びに第二端子列４２それぞれの接触部４４が舌片１２の端子溝１２０に収容される。この際、第一端子列４１並びに第二端子列４２それぞれの連接帯４０を取除いくことで各導電端子４の側縁に形成された切断面が前記第一収容溝１１３と第二収容溝１２３とに収容されることにより、切断面が酸化する恐れが防止できる。
【００１８】
次に、第一本体２と第二本体３とを絶縁本体１に組み合わせ、第一本体２が絶縁本体１の第一収容空間１１１１に収容され、第二本体３が絶縁本体１の第二収容空間１１１２に収容される。絶縁本体１の第一突出部１１１３が第一本体２の切り欠け部２４に係合することによって、第一本体２の上下方向並びに前後方向への移動が制限され、第二突出部１１２３が第二本体３の切り欠け部３４に係合することによって、第二本体３の上下方向並びに前後方向への移動が制限される。且つ第一本体２の第一延出アーム２１が、絶縁本体１の第一収容孔１１５に収容され、第一延出アーム２１の自由端に形成された第一係止部２１０が、第一収容孔１１５の底壁に設けられた第一凸部１１５０に係合し、第二本体３の第二延出アーム３１が、絶縁本体１の第二収容孔１１６に収容され、第二延出アーム３１の自由端に形成された第二係止部３１０が、第二収容孔１１６の底壁に設けられた第二凸部１１６０に係合する。
【００１９】
また、前記第一本体２の第一弾性アーム２２と第二本体３の第二弾性アーム３２とが、絶縁本体１の凹部１１８に同時に収容され、第一本体２の第一弾性アーム２２の自由端に形成された第一係合部２２０が、凹部１１８の下内壁から突出して形成された第一制限部１１８１に係止され、第二本体３の第二弾性アーム３２の自由端に形成された第二係合部３２０が、凹部１１８の上内壁から突出して形成された第二制限部１１８２に係止され、これらによって、前記第一本体２と第二本体３とが絶縁本体１に安定して保持される。第一本体２の第一凸リブ２３は第一収容溝１１３に突出して第一端子列４１の固持部４３を押圧して、これにより、第一端子列４１が第一本体２と絶縁本体１の基部１１との間に保持される。同様に、第二本体３の第二リブ２３は第二収容溝１２３に突出して第二端子列４２の固持部４３を押圧して、これにより、第二端子列４２が第二本体３と絶縁本体１の基部１１の間に保持される。
【００２０】
最後に、シェル５が第一本体２と第二本体３と絶縁本体１との外周を覆って、絶縁本体１の補強板１３がシェル５の底板５２に保持される。
【００２１】
上記した電気コネクタ１００によれば、絶縁本体１の基部１１が前記第一本体２と第二本体３とにより保持されることによって、絶縁本体１と第一本体２と第二本体３との組立体が安定化し、絶縁本体１のがたつきを防止でき、電気コネクタ１００の安定性を向上させることができる。また、第一端子列４１が絶縁本体１と第一本体２との間に保持され、第二端子列４２が絶縁本体１と第二本体３との間に保持されることにより、導電端子４の組立が簡単になっている。
【００２２】
以上、本考案について最良の実施の形態を参照して詳細に説明したが、実施形態はあくまでも例示的なものであり、これらに限定されない。また上述の説明によって、本考案に基づきなしうる細部の修正或いは変更など、いずれも本考案の請求範囲に属するものとする。
【符号の説明】
【００２３】
１００  電気コネクタ
１      絶縁本体
１１    基部
１２    舌片
２      第一本体
３      第二本体
４      導電端子
【図１】
0003171204.tif 000003
【図２】
0003171204.tif 000004
【図３】
0003171204.tif 000005
【図４】
0003171204.tif 000006
【図５】
0003171204.tif 000007
【図６】
0003171204.tif 000008
【図７】
0003171204.tif 000009
【図８】
0003171204.tif 000010